(57)【要約】【課題】コスト低減を達成し得る表示装置を提供する。【解決手段】第１の発光表示像Ｌ１を形成する第１の発光表示手段１と、第２の発光表示像Ｌ２を形成する第２の発光表示手段３と、第１の発光表示像Ｌ１は観察者Ｐ側に透過し第２の発光表示像Ｌ２は観察者Ｐ側に反射する透過型反射パネル２とを備えており、透過型反射パネル２は観察者Ｐから視認される第２の外周縁部（外周端縁部）２２を有し、この第２の外周端縁部２２に入射光を観察者Ｐ側に反射することにより透過型反射パネル２を縁取るように光輝する装飾発光部Ｒを形成する反射部２３を設けた。【選択図】図２
2009047667.tif 000002
【特許請求の範囲】
【請求項１】
観察者に対面するように配置され第１の発光表示像を形成する第１の発光表示手段と、
この第１の発光表示手段よりも前記観察者に近い位置で前記第１の発光表示手段を遮らないよう配置され第２の発光表示像を形成する第２の発光表示手段と、
前記観察者から見たとき前記第１の発光表示手段を覆うと共に前記第２の発光表示手段に対向するように配置され前記第１の発光表示像は観察者側に透過し前記第２の発光表示像は前記観察者側に反射する透過型反射パネルとを備え、
前記透過型反射パネルは前記観察者から視認される外周端縁部を有し、この外周端縁部に入射光を前記観察者側に反射することにより前記透過型反射パネルを縁取るように光輝する反射部を設けたことを特徴とする表示装置。
【請求項２】
前記第２の発光表示手段が前記反射部に光を入射させる照射部を有することを特徴とする請求項１記載の表示装置。
【請求項３】
前記反射部が凹凸部によって構成されていることを特徴とする請求項１記載の表示装置。
【発明の詳細な説明】
【技術分野】
【０００１】
本発明は、例えば車両のダッシュボードに搭載され、観察者（主にドライバー）に表示像として各種情報を表示する表示装置に関するもので、特に発光表示像を観察者に直接表示するタイプの発光表示手段と、発光表示像を透過型反射部材を介して観察者に投影表示するタイプの発光表示手段とを組み込んでなる表示装置に係わる。
【背景技術】
【０００２】
この種の表示装置として、例えば下記特許文献１に記載されているものが知られている。この表示装置は、観察者に対面するように配置され発光する指針式表示像（第１の発光表示像）を形成する指針式表示器（第１の発光表示手段）と、この指針式表示器よりも観察者に近い位置で指針式表示器を遮らないよう配置され発光する装飾表示像（第２の発光表示像）を形成する発光表示器（第２の発光表示手段）と、観察者から見たとき指針式表示器を覆うと共に発光表示器に対向するように配置され指針式表示像は観察者側に透過し装飾表示像は観察者側に反射して投影表示する透過型反射パネルとを備えており、透過型反射パネルは、観察者から見たとき、その外周端縁部が隠蔽部材によって覆われ、これにより透過型反射パネルの存在が目立たないようになっている。
【特許文献１】特開２００５−３００３５９号公報（図２）
【発明の開示】
【発明が解決しようとする課題】
【０００３】
しかしながら上記特許文献１では、透過型反射パネルの外周端縁部を覆う隠蔽部材が必要になるか、または透過型反射パネルの外周端縁部を隠すために透過型反射パネルのサイズを必要以上に大きくしなくてならない事情があり、コストアップを招いていた。
本発明はこの点に着目してなされたもので、その主な目的は、コスト低減を達成し得る表示装置を提供することにある。
【課題を解決するための手段】
【０００４】
本発明は、前述した課題を解決するため、観察者に対面するように配置され第１の発光表示像を形成する第１の発光表示手段と、この第１の発光表示手段よりも前記観察者に近い位置で前記第１の発光表示手段を遮らないよう配置され第２の発光表示像を形成する第２の発光表示手段と、前記観察者から見たとき前記第１の発光表示手段を覆うと共に前記第２の発光表示手段に対向するように配置され前記第１の発光表示像は観察者側に透過し前記第２の発光表示像は前記観察者側に反射する透過型反射パネルとを備え、前記透過型反射パネルは前記観察者から視認される外周端縁部を有し、この外周端縁部に入射光を前記観察者側に反射することにより前記透過型反射パネルを縁取るように光輝する反射部を設けたことを特徴とする。
【０００５】
また本発明は、前記第２の発光表示手段が前記反射部に光を入射させる照射部を有することを特徴とする。
【０００６】
また本発明は、前記反射部が凹凸部によって構成されていることを特徴とする。
【発明の効果】
【０００７】
本発明によれば、コスト低減を達成することが可能な表示装置を提供することができる。
【発明を実施するための最良の形態】
【０００８】
以下、添付図面に基づいて、本発明を適用した表示装置の実施形態を説明する。
【０００９】
図１〜図３は、本発明の一実施形態を示すもので、図１は本実施形態による表示装置の正面図、図２は図１のＡ−Ａ断面図、図３は図１のＢ−Ｂ断面図である。
【００１０】
図１において、本実施形態による表示装置は、例えば自動車のダッシュボードに搭載されるコンビネーションメータからなるもので、図中、中央に位置する速度計ＳＰと、図中、左側に位置する燃料計ＦＵと、図中、右側に位置する水温ＴＥとを含んでいる。
【００１１】
これら速度計ＳＰと燃料計ＦＵと水温ＴＥは、後述する見返し板と表示板とフレーム体と回路基板とを共有部品とし、後述する指針とステッピングモータは速度計ＳＰ、燃料計ＦＵ、水温ＴＥ毎の専用部品とする指針式計器からなる。
【００１２】
また本実施形態の場合、速度計ＳＰは第１の発光表示手段１を構成し、その観察者Ｐ側には、速度計ＳＰだけを覆う透過型反射パネル２が配置され、更に速度計ＳＰよりも観察者Ｐに近い位置には、第１の発光表示手段１を遮らないように第２の発光表示手段３が配置されている（図２参照）。
【００１３】
次に速度計ＳＰを例に本実施形態による表示装置の詳細構造を説明する。
【００１４】
速度計ＳＰ（第１の発光表示手段１）は、硬質の回路基板１１と、この回路基板１１に接続固定されるステッピングモータ１２と、回路基板１１の観察者Ｐ側に配置される乳白色の合成樹脂からなるフレーム体１３と、このフレーム体１３にて支持される表示板１４と、ステッピングモータ１２の駆動軸に連結され表示板１４上を軸回り回転することで表示板１４に設けられた目盛、文字等の指標部（図示省略）を指示する指針１５と、回路基板１１に実装され指針１５と前記指標部とを照明することにより指針式発光表示像でなる第１の発光表示像Ｌ１を形成させる発光ダイオード等からなる第１の光源１６とから構成され、観察者Ｐに対面するように配置されている。
【００１５】
また速度計ＳＰの観察者Ｐ側には、例えば黒色の合成樹脂にて形成された見返し板４が配置され、指針１５の先端側一部と前記指標部を含む表示板１４の部分領域を露出し、その他の所要領域を隠蔽している。
【００１６】
透過型反射パネル２は、透光性合成樹脂からなる基材の観察者側にミラーコート等の反射膜を形成してなり、第１の発光表示像Ｌ１は観察者Ｐ側に透過し、第２の発光表示手段３の後述する第２の発光表示像は観察者Ｐ側に反射できるよう、観察者Ｐから見たとき速度計ＳＰを覆うと共に第２の発光表示手段２に対向するように傾けて配置されている。
【００１７】
この透過型反射パネル２は、見返し板４と接すると共にバイザー部材５に覆われて観察者Ｐから視認されない第１の外周端縁部２１（図中、下側）と、見返し板４及びバイザー部材５と接することもこれらに覆われることもなく表示板１４上で空中に浮いた状態で観察者Ｐに視認される第２の外周端縁部（外周端縁部）２２とを有している。
【００１８】
第２の外周端縁部２２には、太陽光や車室内設置ランプ等、外部から入射した光、あるいは第２の発光表示手段３からの入射光（後述）を観察者Ｐ側に反射（表面反射）することにより透過型反射パネル２を縁取るように光輝させる反射部２３が形成されている。
【００１９】
この反射部２３は、第２の外周端縁部２２に沿って形成された凸部の観察者Ｐ側外壁面を利用して形成され、透過型反射パネル２を縁取るように光輝することで、リング状の装飾発光部Ｒを形成するものである。
【００２０】
またこの反射部２３の表面は、図３に示すように、凹凸部２４として形成されており、これにより様々な方向より入射する光を観察者Ｐに向けて広角に反射し、反射部２３の全体もしくは所望領域を観察者Ｐの位置によらず略均一に発光させることができ、商品性を向上させることができる。この場合、凹凸部２４は断面蒲鉾形の凸部が連続する形状となっているが、様々な方向より入射する光を観察者Ｐに向けて広角に反射することができれば任意の形状を採用できる。
【００２１】
第２の発光表示手段３は、液晶パネル３１と、発光ダイオード等からなる第２の光源３２と、導光体３３と、接続部材３４とを備え、第２の光源３２の点灯により、その光を導光体３３を通じて液晶パネル３１に導いて透過照明することにより、例えばエンジン回転数や走行距離、外気温等の発光する車両状態情報からなる第２の発光表示像Ｌ２を形成するものである。
【００２２】
また第２の光源３２は、回路基板１１に搭載され、導光体３３に対向している。
【００２３】
また導光体３３の観察者Ｐ側端部には、導光体３３内を導いた光を反射部２３に照射する照射部３５が形成され、照射部３５から照射した光を反射部２３に入射させ、この入射光を観察者Ｐ側に反射することにより、太陽光や車室内設置ランプからの入射光が無い場合でも装飾発光部Ｒを視認させることができる。
【００２４】
以上のように本実施形態によれば、観察者Ｐに対面するように配置され第１の発光表示像Ｌ１を形成する第１の発光表示手段１と、この第１の発光表示手段１よりも観察者Ｐに近い位置で第１の発光表示手段１を遮らないよう配置され第２の発光表示像Ｌ２を形成する第２の発光表示手段３と、観察者Ｐから見たとき第１の発光表示手段１を覆うと共に第２の発光表示手段３に対向するように配置され第１の発光表示像Ｌ１は観察者Ｐ側に透過し第２の発光表示像Ｌ２は観察者Ｐ側に反射する透過型反射パネル２とを備えており、透過型反射パネル２は観察者Ｐから視認される第２の外周縁部（外周端縁部）２２を有し、この第２の外周端縁部２２に入射光を観察者Ｐ側に反射することにより透過型反射パネル２を縁取るように光輝する装飾発光部Ｒを形成する反射部２３を設けたことにより、装飾発光部Ｒにて透過型反射パネル２の外周端縁部を加飾することができるため、透過型反射パネル２の外周端縁部を隠す部材が不要となり、また透過型反射パネル２を必要以上に大きくする必要が無くなり、コスト低減が可能となる。
【００２５】
また本実施形態では、第２の発光表示手段３が反射部２３に光を入射させる照射部３５を有することにより、太陽光（自然光）や車室内設置ランプからの入射光が無い場合でも装飾発光部Ｒを視認させることができる。
【００２６】
また本実施形態は、反射部２３が凹凸部２４によって構成されていることにより、装飾発光部Ｒの指向性を弱め、反射部２３の全体もしくは所望領域を観察者Ｐの位置によらず略均一に発光させることができ、商品性を向上させることができる。
【図面の簡単な説明】
【００２７】
【図１】本発明の第１の実施形態を示す表示装置の正面図。
【図２】図１のＡ−Ａ断面図。
【図３】図１のＢ−Ｂ断面図。
【符号の説明】
【００２８】
１  第１の発光表示手段
２  透過型反射パネル
３  第２の発光表示手段
４  見返し板
５  バイザー部材
１１  回路基板
１２  ステッピングモータ
１３  フレーム体
１４  表示板
１５  指針
１６  第１の光源
２１  第１の外周端縁部
２２  第２の外周端縁部（外周端縁部）
２３  反射部
２４  凹凸部
３１  液晶パネル
３２  第２の光源
３３  導光体
３４  接続部材
３５  照射部
Ｐ  観察者
Ｒ  装飾発光部
ＦＵ  燃料計
ＳＰ  速度計
ＴＥ  水温
Ｌ１  第１の発光表示像
Ｌ２  第２の発光表示像
【図１】
2009047667.tif 000003
【図２】
2009047667.tif 000004
【図３】
2009047667.tif 000005